(57)【要約】      （修正有）【課題】多数のカバー部材を用意することなく、通気用の開口の面積を細かく変更可能な男性用下着を提供する。【解決手段】胴体用開口１ａと、胴体用開口１ａの反対側に位置する、一対の脚部用開口１ｂと、胴体用開口１ａと一対の脚部用開口１ｂとにつながり、陰嚢にかかる部分に形成された窓２ａを有する前身頃２と、前記前身頃２の窓２ａを覆うように取り付けられ、通気穴５ａが形成された固定部材５と、固定部材５に対して任意の位置において着脱可能とされ、通気穴６ａが形成されたカバー６とを備える。カバー６の固定部材５に対する取り付け位置を変更することで、固定部材５の通気穴５ａとカバー６の通気穴６ａとが重なる位置に形成される通気開口の面積を連続的に変化させることができる。【選択図】図２
0003164420.tif 000002
【実用新案登録請求の範囲】
【請求項１】
胴体用開口と、
該胴体用開口の反対側に位置する、一対の脚部用開口と、
前記胴体用開口と一対の脚部用開口とにつながり、陰嚢にかかる部分に形成された窓を有する前身頃と、
前記前身頃の窓を覆うように取り付けられ、通気穴が形成された固定部材と、
前記固定部材に対して任意の位置で着脱可能とされ、通気穴が形成されたカバーとを備え、
前記カバーの前記固定部材に対する取り付け位置を変更することで、前記固定部材の通気穴と前記カバーの通気穴とが重なる位置に形成される通気開口の面積を連続的に変化させることが可能とされていることを特徴とする男性用下着。
【請求項２】
前記固定部材の通気穴及び前記カバーの通気穴はそれぞれ複数形成されており、
前記固定部材の複数の通気穴及び前記カバーの複数の通気穴は、前記カバーの前記固定部材に対する取り付け位置を変更したときに、前記固定部材の通気穴と前記カバーの通気穴とで形成される通気開口の面積が、前記固定部材の通気穴の面積に対して０％から１００％の間で任意に変更可能なように、同じ形状、同じ大きさ、同じ配置で形成されていることを特徴とする請求項１に記載の男性用下着。
【請求項３】
胴体用開口と、
該胴体用開口の反対側に位置する、一対の脚部用開口と、
前記胴体用開口と一対の脚部用開口とにつながり、陰嚢にかかる部分に形成された窓を有する前身頃と、
前記前身頃の窓を覆うように取り付けられ、任意形状の一個ないし任意個数の通気穴を持つ固定部材と、
前記固定部材に対して任意の位置で着脱可能とされ、同形、異形または任意形状の一個ないし任意個数の通気穴を持つカバーとを備え、
前記カバーの前記固定部材に対する取り付け位置を、上下方向、左右方向、斜め方向を含む任意方向にずらすことによって、前記固定部材の通気穴と前記カバーの通気穴との、全部または一部が重なる状態で形成される、共通の空隙の集合からなる通気総面積を、零から最大まで、連続的に変化させることが可能とされていることを特徴とする男性用下着。
【請求項４】
前記カバーと固定部材とは、面ファスナにより着脱可能とされていることを特徴とする請求項１から請求項３のいずれか１項に記載の男性用下着。
【請求項５】
前記固定部材の通気穴と前記カバーの通気穴との少なくとも一方にガーゼが備えられていることを特徴とする請求項１から請求項４のいずれか１項に記載の男性用下着。
【考案の詳細な説明】
【技術分野】
【０００１】
本考案は、下腹部のうち、特に、陰嚢に係る皮膚病の予防および治療に適した男性用下着に関するものである。
【背景技術】
【０００２】
従来、男性用下着は、その全体がメリヤス織の木綿製とされているものが殆どである。メリヤス織の木綿は、吸汗には適しているが、空気を比較的通しにくい。このため、メリヤス織の木綿に覆われた陰嚢は、通気が十分になされないため、蒸れてしまう。陰嚢が蒸れると、菌が繁殖することにより皮膚病にかかりやすく、気分も良くない、などという問題があった。
【０００３】
そこで、本出願人は、先に、通気性が考慮された男性用下着を提案している（特許文献１参照。）。
【０００４】
また、本出願人は、先に、通気状態を変更可能な男性用下着を提案している（特許文献２参照。）。この男性用下着は、胴体用開口と、胴体用開口の反対側に位置する、一対の脚部用開口と、胴体用開口と一対の脚部用開口とにつながり、陰嚢にかかる部分に形成された窓を有する前身頃と、前身頃の窓の一部又は全部を覆い、前身頃に対して着脱可能に設けられた、複数のカバーを備える。複数のカバーのそれぞれは、開口部を有するとともに、開口部はカバー毎に通気用の開口の面積が異なる。複数のカバーのうちから最適か最適近傍に選択された一つが、前身頃に装着されて使用される。
【先行技術文献】
【特許文献】
【０００５】
【特許文献１】特開２００８−１３８３４４号公報
【特許文献２】実用新案登録第３１４９７３６号公報
【考案の概要】
【考案が解決しようとする課題】
【０００６】
しかし、特許文献２に記載のものでは、カバーの開口面積を変更するために複数のカバー部材が必要となる。細かく開口面積を変更するには、さらに多数のカバー部材が必要となる。
【０００７】
本考案は、上記問題点を解決することを課題としてなされたものであり、その目的とするところは、多数のカバー部材を用意することなく、通気用の開口の面積を細かく変更可能で、満足度の高い男性用下着を提供することにある。
【課題を解決するための手段】
【０００８】
本考案の第１の態様に係る男性用下着は、胴体用開口と、該胴体用開口の反対側に位置する、一対の脚部用開口と、前記胴体用開口と一対の脚部用開口とにつながり、陰嚢にかかる部分に形成された窓を有する前身頃と、前記前身頃の窓を覆うように取り付けられ、通気穴が形成された固定部材と、前記固定部材に対して任意の位置で着脱可能とされ、通気穴が形成されたカバーとを備え、前記カバーの前記固定部材に対する取り付け位置を変更することで、前記固定部材の通気穴と前記カバーの通気穴とが重なる位置に形成される通気開口の面積を連続的に変化させることが可能とされていることを特徴とする。
【０００９】
本考案の第２の態様に係る男性用下着は、胴体用開口と、該胴体用開口の反対側に位置する、一対の脚部用開口と、前記胴体用開口と一対の脚部用開口とにつながり、陰嚢にかかる部分に形成された窓を有する前身頃と、前記前身頃の窓を覆うように取り付けられ、任意形状の一個ないし任意個数の通気穴を持つ固定部材と、前記固定部材に対して任意の位置で着脱可能とされ、同形、異形または任意形状の一個ないし任意個数の通気穴を持つカバーとを備え、前記カバーの前記固定部材に対する取り付け位置を、上下方向、左右方向、斜め方向を含む任意方向にずらすことによって、前記固定部材の通気穴と前記カバーの通気穴との、全部または一部が重なる状態で形成される、共通の空隙の集合からなる通気総面積を、零から最大まで、連続的に変化させることが可能とされていることを特徴とする。
【考案の効果】
【００１０】
本考案の第１の態様に係る男性用下着によれば、カバーの前記固定部材に対する取り付け位置を変更することで、前記固定部材の通気穴と前記カバーの通気穴とが重なる位置に形成される通気開口の面積を連続的に変化させることができる。したがって、多数のカバー部材を用意することなく、通気用の開口の面積を、使用者が最適と考える任意の面積に設定することができる。これにより、使用者の満足度が高くなる。
【００１１】
本考案の第２の態様に係る男性用下着によれば、カバーの前記固定部材に対する取り付け位置を変更することで、前記固定部材の通気穴と前記カバーの通気穴との、全部または一部が重なる状態で形成される、両通気穴の共通の空隙の面積を、零から最大まで、連続的に変化させることができる。したがって、多数のカバー部材を用意することなく、通気総面積を、使用者が最適に任意に設定することができる。これにより、使用者の満足度が高くなる。
【図面の簡単な説明】
【００１２】
【図１】本考案の実施の形態の男性用下着を示す正面図である。
【図２】本考案の実施の形態の男性用下着において、通気調整部を構成する固定部材及びカバーを取り外した状態を示す正面図である。
【図３】本考案の実施の形態の男性用下着の通気調整部の一部破断拡大正面図である。
【図４】本考案の実施の形態の男性用下着において、固定部材に対するカバーの取り付け位置を変更した例を示す。
【図５】固定部材及びカバーの通気穴の形状のバリエーションを示す正面図である。
【考案を実施するための形態】
【００１３】
以下、本考案の実施の形態の男性用下着について説明する。
【００１４】
図１は、本考案の実施の形態の男性用下着を示す正面図である。本実施の形態の男性用下着１は、前身頃２、および後身頃３を備え、胴体用開口１ａと１対の脚部用開口１ｂが形成されている。
【００１５】
胴体用開口１ａは、着用者の胴体を通すための部分である。一対の脚部用開口１ｂは、胴体用開口１ａに対して反対側に開口しており、着用者の脚部を通すための部分である。
【００１６】
また、本実施の形態の男性用下着１は、前身頃２に通気調整部４を有している。通気調整部４は、使用者が男性用下着１を着用したときに使用者の陰嚢にかかる部分に対応させて設けられている。以下、この通気調整部４について詳しく説明する。
【００１７】
図２は、本考案の実施の形態の男性用下着において、通気調整部４を構成する固定部材５及びカバー６を取り外した状態を示す正面図である。通気調整部４は、前身頃２に設けられた窓２ａと、窓２ａを覆うように前身頃２に取り付けられた固定部材５と、固定部材５に対して着脱可能なカバー６とを有する。
【００１８】
前身頃２の窓２ａは、使用者が男性用下着１を着用したときに使用者の陰嚢にかかる部分に設けられている。窓２ａの形状は任意であり、長方形はその一例である。
【００１９】
図３は、本考案の実施の形態の男性用下着の通気調整部４の一部破断拡大正面図である。固定部材５は、前身頃２の窓２ａよりも大きく、縁部が前身頃２の窓２ａの周辺部に固着されている。固着は、例えば縫製により行うことができる。
【００２０】
固定部材５には、複数の円形通気穴５ａが、前身頃２の窓２ａの範囲内に明けられている。
【００２１】
カバー６には、複数の円形通気穴６ａが明けられている。カバー６は固定部材５と同形状である。カバー６の通気穴６ａは、固定部材５の通気穴５ａと同数、同形状、同じ大きさ、そして同じ位置である。
【００２２】
固定部材５及びカバー６はそれぞれ布材と面ファスナを利用して構成されている。具体的には、固定部材５は、一方の面、具体的には陰嚢と接する面は布材で構成され、反対の面は面ファスナで構成されている。また、カバー６の一方の面、具体的には男性用下着６の外面を構成する面は布材で構成され、反対の面は固定部材５の面ファスナに対して着脱可能な面ファスナで構成されている。これにより、カバー６を固定部材５に対して、すなわち前身頃２に対して着脱することができる。また、カバー６を固定部材５に対して任意の位置で取り付けることができる。
【００２３】
図４（ａ）、（ｂ）、（ｃ）は、本考案の実施の形態の男性用下着において、固定部材５に対するカバー６の取り付け位置を変更した例を示す。例えば、図４（ａ）は、カバー６を固定部材５に対して、カバー６の通気穴６ａの位置が固定部材５の通気穴５ａの位置に一致するように取り付けた状態を示す。この場合、固定部材５の通気穴５ａとカバー６の通気穴６ａとが重なることにより形成される共通の空隙部分が、通気可能部分（以下、「通気開口Ｓ」という）であり、その面積は、固定部材５の通気穴５ａ（６ａ）の面積と同じとなる。つまり、通気開口Ｓの面積は、通気穴５ａ（６ａ）の面積に対して１００％となる。
【００２４】
図４（ｂ）は、固定部材５の通気穴５ａとカバー６の通気穴６ａの位置が若干ずれている状態を示す。図４（ｂ）の場合、固定部材５の通気穴５ａとカバー６の通気穴６ａとの重なりにより生じる通気開口Ｓの面積は、図４（ａ）の場合より少なくなる。図４（ｂ）の場合、通気開口Ｓの面積は、固定部材５の通気穴５ａ（６ａ）の面積に対して約５０％となる。
【００２５】
図４（ｃ）は、固定部材５の通気穴５ａとカバー６の通気穴６ａの位置が大きくずれている状態を示す。図４（ｃ）の場合、固定部材５の通気穴５ａとカバー６の通気穴６ａの重なりにより生じる通気開口Ｓは形成されず、通気開口Ｓの面積は、固定部材５の通気穴５ａ（６ａ）の面積に対して０％となる。
【００２６】
なお、カバー６は、固定部材５に対して、図４（ａ）、（ｂ）、（ｃ）で示す位置以外にも、任意の位置に取り付け可能であり、これにより、通気開口Ｓの面積は、固定部材５の通気穴５ａ（６ａ）の面積に対して０％〜１００％の間の任意の面積に設定することができる。
【００２７】
固定部材５には、取り付け位置の目安として目盛を入れてもよい。これにより、カバー６を所望の取り付け位置に速やかに取り付けることができる。また、一旦カバー６を固定部材５から取り外した場合に、所望の取り付け位置を使用者が記憶するための目安となる。
【００２８】
以上説明したように、本実施の形態の男性用下着１によれば、カバー６の取り付け位置を変更することで通気開口Ｓの面積を連続的に変化させることができる。したがって、多数のカバー部材を用意することなく、通気開口Ｓの面積を、使用者が最適と考える任意の面積に設定することができる。これにより、使用者の満足度を高めることができる。なお、本実施の形態においては、カバー６と水平方向及び上下方向に移動させることにより通気開口Ｓの面積を変更するようにしたが、カバー６を傾けた状態で水平方向や上下方向に移動させることにより通気開口Ｓの面積を変更することもできる。この場合、固定部材５の通気穴５ａとカバー６の通気穴６ａとにより形成される通気開口Ｓの面積は、通気開口Ｓ毎に異なるものとなるが、その場合でも本考案の目的を達成することができる。
【００２９】
（その他）
なお、カバー６を固定部材５に対して着脱可能とするための手段は、面ファスナに限定されるものではない。
【００３０】
また、固定部材５の通気穴５ａとカバー６の通気穴６ａとの少なくとも一方の部材の通気穴に、例えばガーゼのような通気性のよい材料をとりつけてもよい。それは、陰嚢に対する通気を確保しつつ、陰嚢が通気穴を介して外部に露出するのを防止できるからである。
【００３１】
また、固定部材５及びカバー６の通気穴６ａの形状は、円形以外にも種々の形状と混成をすることもできる。図５（ａ）、（ｂ）、（ｃ）は、その例を示したものであり、図５（ａ）においては三角形に、図５（ｂ）においては四角形と円形と三角形との混成に、図５（ｃ）においては長方形に形成されている。通気穴の数、形状、組合せ、配列は任意である。
【００３２】
また、固定部材５の通気穴５ａ及びカバー６の通気穴６ａは、図５等のように整然と配列するのではなく、ランダムに配置してもよい。この場合、固定部材５の通気穴５ａとカバー６の通気穴６ａの形状等は同一に形成されても、されなくてもよい。また、複数の通気穴５ａ（６ａ）により、例えば円形やハート型等、所定の模様が形成されるように配列してもよい。
【００３３】
なお、固定部材５の通気穴５ａ及びカバー６の通気穴６ａの形状、大きさ、数、配置は、通気開口Ｓの面積の調整の容易さ等の観点から上述のように同一にすることもあるが、通気穴５ａと通気穴６ａの形状、大きさ、数、配置が異なっても、カバー６を移動させたときに固定部材５の通気穴５ａとカバー６の通気穴６ａとで形成される通気開口Ｓの面積を変化させることができる限り、本考案の目的を達成することができる。
【００３４】
このように固定部材５の通気穴５ａ及びカバー６の通気穴６ａに様々なデザイン状のバリエーションを持たせることにより、利用者の希望に巾広く応えることができる。
【００３５】
今回、開示した実施の形態は例示であってこれに制限されるものではない。本考案は、上記で説明した範囲ではなく、実用新案登録請求の範囲によって示され、実用新案登録請求の範囲と均等の意味および範囲での全ての変更が含まれることが意図される。
【符号の説明】
【００３６】
１  男性用下着、１ａ  胴体用開口、１ｂ  脚部用開口、２  前身頃、２ａ  前身頃に設けられた窓、３、後身頃、４  通気調整部、５  固定部材、５ａ  通気穴、６  カバー、６ａ  通気穴、Ｓ  通気開口
【図１】
0003164420.tif 000003
【図２】
0003164420.tif 000004
【図３】
0003164420.tif 000005
【図４】
0003164420.tif 000006
【図５】
0003164420.tif 000007